(57)【特許請求の範囲】
【請求項１】
引き戸を自動的に閉める引き戸クローザにおいて、長手方向に向けてスリットが形成された筒状の外部ケースと、外部ケース内に収納され、シリンダ部が長手方向に移動可能であると共に、そのシリンダ部からケース一端側へピストンロッド部が突出し、ピストンロッド部の先端部分の連結ピンが前記スリットを通して引き戸と連結されるダンパと、ダンパのピストンロッド部をケース他端側へ弾性的に引っ張る第１バネと、ダンパのシリンダ部をケース他端側へ弾性的に引っ張り、その引っ張り力が第１バネの引っ張り力より大である第２バネとを具備し、且つ前記第１バネとして、一端部がダンパのピストンロッド部の先端部分に接続され、中間部が、ダンパの基端側に位置して外部ケースの他端部内に設けられた中継部を経由して、他端部が外部ケースの一端部に接続されたコイルバネを有することを特徴とする引き戸クローザ。
【請求項２】
第１バネとして、前記コイルバネの他に、中空のピストンロッド部内を貫通し、一端部がピストンロッド部の先端部に、他端部がシリンダ部の基部にそれぞれ連結された内挿式の副コイルバネを有することを特徴とする請求項１に記載の引き戸クローザ。
【請求項３】
外部ケース内の中継部と係合するコイルバネの中間部が紐体からなることを特徴とする請求項１〜２のいずれかに記載の引き戸クローザ。
【請求項４】
コイルバネの一端部が紐体からなり、この紐体を巻き取ると共に外部ケースのスリットを通して外部ケース外から回転操作されるリール機構が、ダンパのピストンロッド部の先端部に取り付けられていることを特徴とする請求項１〜３のいずれかに記載の引き戸クローザ。
【請求項５】
引き戸との連結のために、ダンパのピストンロッド部の先端部から外部ケースのスリットを通して外部ケース外に延出する連結ピンが、着脱自在な差し込み式であることを特徴とする請求項１〜４のいずれかに記載の引き戸クローザ。
【請求項６】
ダンパと中継部との間に位置して外部ケースの他端部内に設けられており、前記第２バネの他端部が連結されたダンパストッパを有し、このダンパストッパが外部ケースの長手方向の複数位置に選択的にねじ止めされることを特徴とする請求項１〜５のいずれかに記載の引き戸クローザ。
【発明の詳細な説明】
【０００１】
【発明の属する技術分野】
本発明は半自動式の引き戸に使用される引き戸クローザに関する。
【０００２】
【従来の技術】
半自動式の引き戸は、周知の通り、手で開けた戸を自動で閉める仕組みになっている。その閉止機構である引き戸クローザは重力式とバネ式とに大別され、装置規模等の点からバネ式のものが有利とされている。
【０００３】
バネ式の引き戸クローザでは、コイルバネの引っ張り力に抗して戸が開けられ、手を離すとコイルバネの引っ張り力によりその戸が自動で閉じる。戸が閉じるときの速度を抑えるために、通常はコイルバネにエアシリンダ式のダンパが組み合わされる。
【０００４】
【発明が解決しようとする課題】
ところで、最近の傾向として間口が広くなり、これに伴って引き戸クローザにも大きな開閉ストロークが要求されるようになった。しかし、従来のバネ式クローザは、引き戸が設けられるスペースの横幅に対応して長さを調整できないため、長いものを新しく製作する必要がある。また、既存のものも、１つの機種につき多数の長さのものを用意する必要があった。そのため、製作コストが嵩むのを避け得なかった。
【０００５】
また、この種のクローザは外部に露出するので、意匠性を要求される。従来のものはケース内に収納されたダンパがケース外から見えるなど、意匠性が十分とは言えなかった。
【０００６】
本発明はかかる事情に鑑みて創案されたものであり、大きい開閉ストロークを簡単に確保でき、且つ長さ調整を可能にした低コストで、しかも意匠性に優れた引き戸クローザを提供することを目的とする。
【０００７】
【課題を解決するための手段】
本発明に係る引き戸クローザは、引き戸を自動的に閉める引き戸クローザにおいて、長手方向に向けてスリットが形成された筒状の外部ケースと、外部ケース内に収納され、シリンダ部が長手方向に移動可能であると共に、そのシリンダ部からケース一端側へピストンロッド部が突出し、ピストンロッド部の先端部分の連結ピンが前記スリットを通して引き戸と連結されるダンパと、ダンパのピストンロッド部をケース他端側へ弾性的に引っ張る第１バネと、ダンパのシリンダ部をケース他端側へ弾性的に引っ張り、その引っ張り力が第１バネの引っ張り力より大である第２バネとを具備し、且つ前記第１バネとして、一端部がダンパのピストンロッド部の先端部分に接続され、中間部が、ダンパの基端側に位置して外部ケースの他端部内に設けられた中継部を経由して、他端部が外部ケースの一端部に接続されたコイルバネを有することを特徴としている。
【０００８】
本発明に係る引き戸クローザにおいては、第１バネとして、前記コイルバネの他に、中空のピストンロッド部内を貫通し、一端部がピストンロッド部の先端部に、他端部がシリンダ部の基部にそれぞれ連結された内挿式の副コイルバネを設けることができる。
【０００９】
また、外部ケース内の中継部と係合するコイルバネの中間部を紐体とすることができる。
【００１０】
また、コイルバネの一端部を紐体とし、この紐体を巻き取ると共に外部ケースのスリットを通してケース外から回転操作されるリール機構を、ダンパのピストンロッド部の先端部に取り付けることができる。
【００１１】
また、引き戸との連結のために、ダンパのピストンロッド部の先端部から外部ケースのスリットを通してケース外に延出する連結ピンを、着脱自在な差し込み式とすることができる。
【００１２】
また、ダンパと中継部との間に位置して外部ケースの他端部内に設けられており、前記第２バネの他端部が連結されたダンパストッパを有し、このダンパストッパが外部ケースの長手方向の複数位置に選択的にねじ止めされる構成となっている。
【００１３】
本発明に係る引き戸クローザにおいては、外部ケース内のダンパのシリンダ部及びピストンロッド部がケース長手方向に移動し得る。引き戸を開けると、第１バネの引っ張り力に抗してピストンロッド部がシリンダ部から引き出されて引き戸の開放方向へ移動する。
【００１４】
このとき、第１バネとしてのコイルバネが、ピストンロッド部の先端部分から外部ケースの他端部内に設けられた中継部を経由して外部ケースの一端部にかけて配設され、長いバネ長が確保されるので、ピストンロッド部のストロークエンドまでスムーズに引き戸が開く。
【００１５】
ピストンロッド部がストロークエンドに達すると、第２バネの引き力に抗してシリンダ部が戸の開放方向へ移動する。これにより、大きい開閉ストロークが確保され、外部ケースの延長が可能になる。そして、その長い外部ケースの一端部を切り落とすことにより、長さが調整される。外部ケースが短い場合は、第１バネのみが使用される。ダンパは外部ケースに収納されているので、外から見えない。
【００１６】
【発明の実施の形態】
以下、本発明の実施の形態を図面に基づいて説明する。図１は本発明の実施の形態に係る引き戸クローザの一部破断斜視図、図２は同引き戸クローザのダンパの内部構造を説明するための一部破断斜視図、図３は同引き戸クローザのピストンロッド部の先端部分の構造を説明するための縦断側面図である。
【００１７】
本発明の実施の形態に係る引き戸クローザは、図１に示すように、角筒状の外部ケース１０と、外部ケース１０内に収納されたエアシリンダ式のダンパ２０と、引き戸を自動閉止するためにダンパ２０と共に外部ケース１０内に収納された第１バネ３０及び第２バネ４０と、ダンパ２０の基端側に位置して外部ケース１０内に設けられたダンパストッパ７０と、ダンパストッパ７０の更に基端側に位置して外部ケース１０内に設けられた中継ローラ６０とを具備する。なお、ダンパとしてはエアシリンダに必ずしも限定されず、オイルダンパ等を用いても良い。
【００１８】
外部ケース１０は、塩ビ等の樹脂又はアルミニウムの押し出し材の角パイプからなるケース本体１１と、ケース本体１１の両端部に装着された取付けブラケット１２，１２とからなる。ケース本体１１の下面には、中央部から一端にかけてスリット１３が設けられている。また、ダンパストッパ７０を取り付けるために、複数の開口部１４がケース本体１１の下面の長手方向に間隔をあけて設けられている。一方、ケース本体１１の上面には、図示されていないが、後述する連結ピンを落とし込むための開口部が設けられている。ケース本体１１の長さは、最近の広い間口に対応できるものになっている。
【００１９】
取付けブラケット１２，１２はケース本体１１の両端部内に着脱可能に挿入され、挿入時に任意の方向に向けることによりネジ止め部１６，１６を何れの側にも向けることができる。また、ネジ止め部１６，１６を上方に向けることにより天井付けも可能になる。
【００２０】
ダンパ２０のシリンダ部２１は、スリット１３より他端側のケース本体１１内に長手方向に移動可能に収納されている。ピストンロッド部２２は、シリンダ部２１から一端側に突出しており、その先端部には、下方の引き戸との連結のためにブロック状の可動フック２３が取り付けられている。
【００２１】
可動フック２３は、先端部に垂直な連結ピン２４を有する。連結ピン２４は、下端部がスリット１３を通ってケース本体１１の下方に突出し、引き戸の側に取付けられるフックに係合することにより、ピストンロッド部２２を引き戸と連結する。この連結ピン２４は、図３に示すように、可動フック２３に設けられた垂直な貫通孔２５に上方から落とし込まれて、可動フック２３にセットされる。この落とし込みのために、可動フック２３が初期位置にあるときに、その貫通孔２５が、ケース本体１１の上面に設けられた開口部の下方に位置するようになっている。
【００２２】
可動フック２３には、連結ピン２４と共にリール機構５０が設けられているが、これについては後で詳しく説明する。
【００２３】
第１バネ３０は、ダンパ２０の外側に位置するコイルバネ３１（以下このコイルバネを主コイルバネと称す）と、図２に示すように、中空のピストンロッド部２２を貫通する副コイルバネ３２とからなる。副コイルバネ３２の一端部は、ピストンロッド部２２の一端部に装着されるキャップ２６に連結され、他端部はシリンダ部２１のエンドキャップ２７に連結されている。このため、ピストンロッド部２２は副コイルバネ３２によって基端側へ弾性的に引っ張られる。
【００２４】
なお、２８はシリンダ部２１のエンドキャップ２７に設けられた速度調整用ネジ、２９はピストンである。速度調整用ネジ２８は、エンドキャップ２７をシリンダ部２１の後端部に装着した状態で、シリンダ部２１の後端部に設けられた開口の内側に位置する。そして、開口を通してドライバー等により速度調整用ネジ２８を操作することにより、引き戸が閉まる時の速度が任意に調整される。
【００２５】
一方、主コイルバネ３１は、図１に示すように、可動フック２３から中継ローラ６０を経由してケース本体１１の一端部に至るＵ字状に張設されている。ここで中継ローラ６０は、ケース本体１１の底板部に立設された軸６１に回転自在に取り付けられている。
【００２６】
この主コイルバネ３１は、一端部及び中間部が紐体３３，３４により構成されている。換言すると、主コイルバネ３１は、２つのコイルバネを紐体３４により繋ぎ、一方のコイルバネの先に紐体３３を接続した構成になっている。そして、一端部に位置する紐体３３は、可動フック２３に装備されたリール機構５０に連結されている。中間部に位置する紐体３４は、ケース本体１１の他端部内に設けられた中継ローラ６０に掛けられ、主コイルバネ３１の他端部は、ケース本体１１の一端部に連結されている。このようなＵ字状の主コイルバネ３１と前述した副コイルバネ３２により、ピストンロッド部２２は基端側へ弾性的に引っ張られる。
【００２７】
第２バネ４０は、第１バネ３０と同様のコイルバネからなり、一端部がシリンダ部２１の先端部（トップキャップ）に連結されている。第２バネ４０の他端部は、ケース本体１１の他端部内に設けられたダンパストッパ７０に連結されている。これにより、シリンダ部２１は第２バネ４０によって基端側へ弾性的に引っ張られる。そして、その引っ張り力は第１バネ３０（主コイルバネ３１及び副コイルバネ３２）がピストンロッド部２２を引っ張る力より大きく設定されている。
【００２８】
可動フック２３に装備されたリール機構５０は、図３に示すように、水平なローラ５１と、ローラ５１から下方に延出したシャフト５２とを有する。ローラ５１は、可動フック２３の上面に設けられた凹部２３１に収容され、主コイルバネ３１の一端部に設けられた紐体３３を巻き付けている。ローラ５１の下面には、複数の突起５３が周方向に間隔をあけて設けられており、その下面に対向する凹部２３１の底面には、突起５３が嵌合する複数の窪みが形成されている。シャフト５２は、可動フック２３を貫通し、スプリング５４により下方に付勢され、これによってローラ５１の回転を阻止する。このシャフト５２は、ケース本体１１のスリット１３を通して外部ケース１０の外に臨み、その下面にドライバーを差し込むための溝５２１を有する。
【００２９】
ダンパストッパ７０は、ケース本体１１の底面に設けられた複数の開口部１４の１つを通してネジ７１をねじ込むことにより、ケース本体１１内に固定される。そして、複数の開口部１４を選択的に使用することにより、ダンパストッパ７０の固定位置が調節される。
【００３０】
次に、本発明の実施の形態に係る引き戸クローザの使用方法及び機能について説明する。
【００３１】
まず、外部ケース１０を組み立てる。ケース本体１１の長さは、最近の広い間口に対応できるものになっているので、組み立て前に必要に応じて、引き戸を取り付けるスペースの横幅に合わせてケース本体１１の一端部を切断することで設定する。ケース本体１１の両端部に取付けブラケット１２，１２を装着する。
【００３２】
取付けブラケット１２，１２を外部ケース１０への挿入時に任意の方向に向けることにより、そのネジ止め部１６，１６の向きを変更できることは前述した通りである。これらの後、引き戸を取り付けるスペースの上辺に沿って外部ケース１０を取り付け、フックを介して引き戸と連結する。
【００３３】
引き戸を開けないときは、ダンパ２０のシリンダ部２１が第２バネ４０に引かれてダンパストッパ７０に弾性的に当接している。また、ピストンロッド部２２は第１バネ３０（主コイルバネ３１及び副コイルバネ３２）に引かれて、シリンダ部２１内に退入した状態にある。
【００３４】
引き戸を開けると、まず、第１バネ３０（主コイルバネ３１及び副コイルバネ３２）の引っ張り力に抗して、ダンパ２０のピストンロッド部２２がシリンダ部２１から先端側へ引き出される。なぜなら、第１バネ３０の引っ張り力の方が、第２バネ４０の引っ張り力より小さいからである。ピストンロッド部２２のストロークエンドに達した後も引き戸を開け続けると、シリンダ部２１が第２バネ４０の引っ張り力に抗して先端側へ移動する。引き戸から手を離すと、第１バネ３０及び第２バネ４０の引っ張り力により引き戸が自動で閉じる。このとき、引き戸の閉止速度がダンパ２０により抑制される。
【００３５】
このように、本発明の実施の形態に係る引き戸クローザでは、ダンパ２０のシリンダ部２１が長手方向に移動するので、大きい開閉ストロークが確保される。このため、ケース本体１１を切らない場合や切り代が小さい場合もスムーズな動作が保証される。ケース本体１１の切り代が大きい場合は、ダンパ２０のピストンロッド部２２がシリンダ部２１から先端側へ引き出されるだけで、引き戸が開放する。
【００３６】
引き戸を開けるときに、第１バネ３１が伸びる。このとき、第１バネ３０が短いと、ピストンロッド部２２の引き出し開始時に比べてストロークエンド近傍時の引き力が非常に大きくなる。しかるに、本発明の実施の形態に係る引き戸クローザでは、主コイルバネ３１が可動フック２３から中継ローラ６０を経由してケース本体１１の一端部に至るＵ字状に張設されているので、その長さが大きい。しかも、主コイルバネ３１の伸び動作に伴って中継ローラ６０が回転し、且つ主コイルバネ３１の中継ローラ６０と係合する部分が紐体３４により構成されている。これらため、ピストンロッド部２２の引き出し開始時からストロークエンド時まで、引き戸を軽い力でスムーズに開けることかできる。
【００３７】
また、外部ケース１０のスリット１３を通してドライバーによりリール機構５０のシャフト５２を上方へ押すと、ローラ５１の下面に設けられた複数の突起５３が、凹部２３１の底面に設けられた窪みから外れ、ローラ５１が回転可能な状態になる。この状態でドライバーによりシャフト５２を回転操作することにより、ローラ５１における紐体３３の巻き付け量が変化し、主コイルバネ３１の有効長さ（伸び量）が変わるので、引き戸の開放に要する力が調節される。
【００３８】
また、ダンパストッパ７０の固定位置を変えることにより、引き戸の幅寸法等に応じてダンパ２０の初期位置、即ち連結ピン２４の初期位置が調節される。
【００３９】
また、連結ピン２４は外部ケース１０の下方に突出するが、これが着脱可能な差し込み式になっているので、梱包時にこれを抜き取ることによりその出っ張りが無くなり、その結果として効率のよい梱包が可能になる。
【００４０】
また、ダンパ２０のシリンダ部２１がスリット１３より基端側のケース本体１１内に収納されているので、ケース本体１１の外から見えない。そのため、意匠性に優れる。
【００４１】
【発明の効果】
以上に説明した通り、本発明に係る引き戸クローザは、外部ケース内のダンパがケース長手方向に移動し得るので、最近の広い間口に適用できるような大きい開閉ストロークも容易に確保することかできる。外部ケースと比べて、引き戸クローザを取り付けるスペースが狭い場合は、外部ケースの一端部を切り落とすことにより対応できる。このため、長さの異なるものを製作する必要がなくなり、製作コストの低減を図ることができる。また、ダンパが外部ケースに収納され、外から見えないので、意匠性に優れ、見栄えが良い。
【００４２】
しかも、ダンパのピストンロッド部を基端側に引っ張る第１バネとして、ピストンロッド部の先端部分から外部ケースの他端部内に設けられた中継部を経由して外部ケースの一端部にかけて配設されたコイルバネを用いるので、長いバネ長を確保できる。このため、大きい開閉ストロークを確保する場合にあっても、ピストンロッド部のストロークエンドまで引き戸を軽い力でスムーズに開けることができる。
【００４３】
また、外部ケース内の中継部と係合するコイルバネの中間部を紐体とすることにより、引き戸の操作をよりスムーズにすることができる。
【００４４】
また、コイルバネの一端部を紐体とし、この紐体を巻き取ると共に外部ケースのスリットを通してケース外から回転操作されるリール機構を、ダンパのピストンロッド部の先端部に取り付けることにより、引き戸の開放に要する力を外部ケースの外から簡単に調節することができる。
【００４５】
また、引き戸との連結のために、ダンパのピストンロッド部の先端部から外部ケースのスリットを通してケース外に延出する連結ピンを、着脱自在な差し込み式とすることにより、効率的な梱包を行うことができる。
【００４６】
また、ダンパと中継部との間に位置して外部ケースの他端部内に設けられており、前記第２バネの他端部が連結されたダンパストッパを有し、このダンパストッパが外部ケースの長手方向の複数位置に選択的にねじ止めされるように構成することにより、引き戸の初期位置を簡単に調節することができるようになる。
【図面の簡単な説明】
【図１】本発明の実施の形態に係る引き戸クローザの一部破断斜視図である。
【図２】本発明の実施の形態に係る引き戸クローザのダンパの内部構造を説明するための一部破断斜視図である。
【図３】本発明の実施の形態に係る引き戸クローザのピストンロッド部の先端部分の構造を説明するための縦断側面図である。
【符号の説明】
１０  外部ケース
１１  ケース本体
１２  取付けブラケット
１３  スリット
２０  ダンパ
２１  シリンダ部
２２  ピストンロッド部
２３  可動フック
２４  連結ピン
３０  第１バネ
３１  主コイルバネ
３２  副コイルバネ
３３，３４  紐体
４０  第２バネ
５０  リール機構
６０  中継ローラ（中継部）
７０  ダンパストッパ
８０  フック
【図１】
0003681491.tif 000002
【図２】
0003681491.tif 000003
【図３】
0003681491.tif 000004